【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
ポーションパッケージ（３）の使用中に合計製品を作製するための飲料準備マシン（１）の動作のための方法であって、前記飲料準備マシン（１）は、無線通信のために設計されている通信ユニット（１５）を含んでおり、
前記方法は、前記飲料準備マシン（１）によって行なわれる、
・前記通信ユニット（１５）によってアクティベーションコマンドを受信するための受信ステップ（６１）と、
・前記飲料準備マシン（１）が前記合計製品を作製する準備ができているかどうか検討するための検討ステップ（６２）とを含み、
前記飲料準備マシン（１）が前記合計製品を作製する準備ができている場合、
・前記アクティベーションコマンドが受信されたことと、前記飲料準備マシン（１）が前記合計製品を作製する準備ができていることとの確認を前記通信ユニット（１５）により送信するための確認ステップ（６４）と、
・前記合計製品を作製するための作製ステップ（６５）とを含む、方法。
【請求項２】
前記検討ステップ（６２）は、前記合計製品の構成要素の存在を検討するためのサブ検討ステップのうちの１つ以上を含み、前記合計製品の構成要素の存在を検討するための前記サブ検討ステップは、
・前記合計製品の作製のためのポーションパッケージ（３）が存在するかどうか検討するサブ検討ステップと、
・最低量の水が存在するかどうか検討するサブ検討ステップとである、請求項１に記載の方法。
【請求項３】
前記検討ステップ（６２）は、
・前記合計製品に特にミルクといった部分製品を供給するための補助ユニット（１１）が前記飲料準備マシン（１）に接続されて動作準備ができているかどうか検討するサブ検討ステップと、
・十分な量の特にミルクといった前記部分製品が存在するかどうか検討するサブ検討ステップとのうちの１つ以上を含む、請求項１または請求項２に記載の方法。
【請求項４】
前記検討ステップ（６２）は、前記飲料準備マシン（１）の動作状態を検討するためのサブ検討ステップのうちの１つ以上を含み、前記飲料準備マシン（１）の動作状態を検討するための前記サブ検討ステップは、
・前記飲料準備マシン（１）が前記合計製品を作製する準備ができているかどうか検討するサブ検討ステップと、
・前記飲料準備マシン（１）のエラーメッセージが存在しないかどうか検討するサブ検討ステップとである、請求項１〜請求項３のいずれか１項に記載の方法。
【請求項５】
前記検討ステップ（６２）は、前記飲料準備マシンの動作状態を検討するためのサブ検討ステップを含み、前記飲料準備マシンの動作状態を検討するための前記サブ検討ステップは、
・前記合計製品を受け取るための受取容器（２）が存在するかどうか検討するサブ検討ステップである、請求項１〜請求項４のいずれか１項に記載の方法。
【請求項６】
前記検討ステップは、前記アクティベーションコマンドが関係する準備規定に従ったサブ検討ステップのうちの１つ以上を含み、前記アクティベーションコマンドが関係する準備規定に従った前記サブ検討ステップは、
・前記合計製品を作製するための前記飲料準備マシン（１）において準備ができているポーションパッケージ（３）の識別性またはカテゴリが前記準備規定と一貫しているかどうか検討するサブ検討ステップと、
・前記合計製品の少なくとも１つの構成要素について、十分な量の当該構成要素が、前記準備規定に従った前記合計製品の作製のために存在するかどうか検討するサブ検討ステップとである、請求項１〜請求項５のいずれか１項に記載の方法。
【請求項７】
前記飲料準備マシン（１）が前記合計製品を作製する準備ができていない場合に、前記飲料準備マシン（１）によって行なわれる、
・前記アクティベーションコマンドが受信されたことと、前記飲料準備マシン（１）が前記合計製品を作製する準備ができていないこととのエラー情報を前記通信ユニット（１５）により送信するためのエラー情報ステップ（７０）を含む、請求項１〜請求項６のいずれか１項に記載の方法。
【請求項８】
前記製造ステップ（６５）は、前記受信ステップ（６１）または前記確認ステップ（６４）の後の特定可能な時間の遅延で実行され、特に、前記通信ユニット（１５）を介して受信されるメッセージによって特定される時間の遅延で実行される、請求項１〜請求項７のいずれか１項に記載の方法。
【請求項９】
前記合計製品の作製が完了したという完了確認を前記通信ユニット（１５）により送信するための完了確認ステップ（６７）をさらに別のステップとして含む、請求項１〜請求項８のいずれか１項に記載の方法。
【請求項１０】
前記合計製品を作製する際にエラーが発生したという作製エラーメッセージを前記通信ユニット（１５）により送信するための作製エラーメッセージステップ（６８）をさらに別のステップとして含む、請求項１〜請求項９のいずれか１項に記載の方法。
【請求項１１】
前記飲料準備マシン（１）によって行なわれる、
・前記アクティベーションコマンドが関係する準備規定を前記飲料準備マシン（１）に格納するステップと、
・後の時点において、特に前記飲料準備マシン（１）においてエラー対処メッセージを受信した後に、格納された前記準備規定に従って前記合計製品を作製するステップとを含む、請求項１〜請求項１０のいずれか１項に記載の方法。
【請求項１２】
前記飲料準備マシン（１）によって行なわれる、
・前記アクティベーションコマンドが関係する準備規定を前記飲料準備マシン（１）に格納するステップと、
・修正された準備規定を受信するか、または、格納された前記準備規定の変更を記述するとともにこれにより修正された準備規定を規定するデータを受信するステップと、
・前記修正された準備規定を考慮に入れつつ、前記受信ステップおよび前記検討ステップの更新された実施を行うステップと、
前記飲料準備マシン（１）が前記合計製品を作製する準備ができている場合、
・前記確認ステップの更新された実施を行うステップと、
・前記作製ステップの更新された実施を行うステップとを含む、請求項１〜１０のいずれか１項に記載の方法。
【請求項１３】
前記受信ステップの前に行なわれる、
・ユーザがアクティベーション決定を入力するステップと、
・前記動作機器（４）上で取消オプションを表示するステップと、
・取消決定が前記ユーザによって入力される場合、前記方法を終了するステップ、または、取消決定が前記ユーザによって入力されない場合、前記方法を継続するステップとを含む、請求項１〜請求項１２のいずれか１項に記載の方法。
【請求項１４】
請求項１〜１２のいずれか１項に記載の方法を実行するように設計されている、飲料準備マシン（１）。
【請求項１５】
ユーザとのインタラクションのため、かつ、飲料準備マシン（１）との無線通信のための動作機器（４）の動作のための方法であって、
前記方法は、前記動作機器（４）によって行なわれる、
・前記動作機器（４）においてユーザがアクティベーション決定の入力を行なう場合に、アクティベーションコマンドを送信するステップと、
・前記飲料準備マシン（１）が合計製品を作製する準備ができているかどうかについての情報とともに、前記アクティベーションマンドが受信されたという確認を受信するステップと、
・受信された前記確認に従って、前記動作機器（４）に確認指示を表示するステップとを含む、方法。
【請求項１６】
前記動作機器（４）によって行なわれる、
・エラー情報を受信するステップと、
・受信された前記エラー情報に従って前記動作機器（４）にエラー指示を表示するステップとを含む、請求項１５に記載の方法。
【請求項１７】
前記動作機器（４）によって行なわれる、
・作製ステップを行なうための時間の遅延を特定するメッセージを送信するステップを含む、請求項１５または１６に記載の方法。
【請求項１８】
前記動作機器（４）によって行なわれる、
・修正された準備規定を送信するか、または、準備規定の変更を記述するとともにこれにより修正された準備規定を規定するデータを送信するステップを含む、請求項１５〜１７のいずれか１項に記載の方法。
【請求項１９】
前記動作機器（４）によって行なわれる、
・ユーザがアクティベーション決定を入力するステップと、
・前記動作機器（４）上で取消オプションを表示するステップと、
・取消決定が前記ユーザによって入力される場合、前記方法を終了するステップ、または、取消決定が前記ユーザによって入力されない場合、前記方法を継続するステップとを含む、請求項１５〜１８のいずれか１項に記載の方法。
【請求項２０】
ユーザとのインタラクションのため、かつ、飲料準備マシンとの無線通信のための動作機器（４）の動作のためのコンピュータプログラムであって、前記コンピュータプログラムは、前記動作機器（４）上での実行の際に、請求項１４〜１９のいずれか１項に記載の方法を実行する、コンピュータプログラム。